(57)【特許請求の範囲】
【請求項１】
ラベル票と帳票とを分離可能に並設したラベル票付帳票を切り用ミシン目を介して多数連接してなるラベル票付連続帳票であって、前記各ラベル票と前記各帳票の表面にはそれぞれ印字記入部を設け、前記各ラベル票の裏面には粘着剤を設けるとともに剥離紙で被覆し、前記各帳票の前記ラベル票との分離端に沿った位置には穿孔部を形成する一方、前記各ラベル票の剥離紙を延出して前記穿孔部を裏面側から覆うように構成したことを特徴とするラベル票付連続帳票。
【請求項２】
ラベル票と帳票とを分離可能に並設したラベル票付帳票を切り用ミシン目を介して多数連接してなるラベル票付連続帳票であって、前記各ラベル票と前記各帳票の表面にはそれぞれ印字記入部を設け、前記各ラベル票の裏面には粘着剤を設けるとともに剥離紙で被覆し、前記各帳票の前記ラベル票との分離端に沿った位置には穿孔部を形成する一方、前記各ラベル票の剥離紙を延出して前記穿孔部を裏面側から覆うように構成するとともに、前記各帳票の前記各ラベル票とは反対側を延出して延出部を形成し、この延出部の裏面に粘着剤を設けるとともに剥離紙で被覆し、この粘着剤設置部分の内側に切り取り部を設けたことを特徴とするラベル票付連続帳票。
【発明の詳細な説明】
【０００１】
【発明の属する技術分野】
本発明は、ノンインパクトプリンタで高速印字するのに適した、ファイルパンチやコーナーカット等の穿孔部を有するラベル票付連続帳票に関する。
【０００２】
【従来の技術】
従来、この種のラベル票付連続帳票の印字にあたっては、印字が高速で行われるために、切り用ミシン目が破断して連続状態が途切れてしまう事態が生じ易かった。このような事態が生じたり、印刷対象のラベル票付連続帳票がなくなって、いわゆる用紙切れ状態になった場合には、印刷動作を中断する必要があるので、用紙の移送が途切れたことを検出するセンサーを設けているのが一般的である。そして、通常このセンサーとしては、光線が用紙によって遮断あるいは反射されなくなった時に、検出信号を出力する光センサーが使用されている。
【０００３】
【発明が解決しようとする課題】
このため、ラベル票付連続帳票にファイルパンチやコーナーカット等の穿孔部が設けられていると、この穿孔部を光センサーから出射した光線が通過してしまうので、誤動作により検出信号が出力され易いという不都合があった。本発明はこの不都合を解消し、穿孔部を設けたことによる光センサーの誤動作を防止することのできるラベル票付連続帳票を提供することを目的とする。
【０００４】
【課題を解決するための手段】
上述した目的を達成するために、本発明の請求項１に記載したラベル票付連続帳票は、ラベル票と帳票とを分離可能に並設したラベル票付帳票を切り用ミシン目を介して多数連接してなるラベル票付連続帳票であって、前記各ラベル票と前記各帳票の表面にはそれぞれ印字記入部を設け、前記各ラベル票の裏面には粘着剤を設けるとともに剥離紙で被覆し、前記各帳票の前記ラベル票との分離端に沿った位置には穿孔部を形成する一方、前記各ラベル票の剥離紙を延出して前記穿孔部を裏面側から覆うように構成したことを特徴とする。
【０００５】
また、本発明の請求項２に記載したラベル票付連続帳票は、ラベル票と帳票とを分離可能に並設したラベル票付帳票を切り用ミシン目を介して多数連接してなるラベル票付連続帳票であって、前記各ラベル票と前記各帳票の表面にはそれぞれ印字記入部を設け、前記各ラベル票の裏面には粘着剤を設けるとともに剥離紙で被覆し、前記各帳票の前記ラベル票との分離端に沿った位置には穿孔部を形成する一方、前記各ラベル票の剥離紙を延出して前記穿孔部を裏面側から覆うように構成するとともに、前記各帳票の前記各ラベル票とは反対側を延出して延出部を形成し、この延出部の裏面に粘着剤を設けるとともに剥離紙で被覆し、この粘着剤設置部分の内側に切り取り部を設けたことを特徴とする。
【０００６】
【発明の実施形態】
以下、本発明の好適な実施形態を添付図面に基づき詳細に説明する。ここにおいて、図１はラベル票付連続帳票を単位化したラベル票付帳票を示す概略的な斜視図、図２は図１のＡ−Ａ線断面図、図３はラベル票付帳票を配送品に貼付した状態を示す概略的な斜視図、図４はラベル票付連続帳票の他の実施形態を示す概略的な断面図、図５はラベル票付連続帳票のさらに他の実施形態を示す概略的な断面図である。
【０００７】
まず、図１〜図３に基づいて第１の実施形態を説明する。図１及び図２に示すように、ラベル票付連続帳票１は、ラベル票２と帳票である配達票兼受領票３とを切り用ミシン目４で分離可能に並設してなるラベル票付帳票１ａを、図示していない切り用ミシン目を介して天地方向に多数連接してなる。
【０００８】
図１に示すように、各ラベル票２と各配達票兼受領票３の表面には、「送り状」、「配達票兼受領票」という表題を設けている。さらに、前記各ラベル票２の表面には、印字記入部たる届先の住所、氏名及び電話番号を印字記入する届先記入欄６と、荷送人の電話番号、名称を印刷した荷送人表示７とを設けている。また、前記各配達票兼受領票３の表面には、印字記入部たる届先の住所、氏名及び電話番号を印字記入する届先記入欄８及び問い合わせ番号を印字記入する問い合わせ番号記入欄９と、荷送人の電話番号、名称を印刷した荷送人表示１０と、受領印捺印欄１１とを設けている。
【０００９】
図１及び図２に示すように、各ラベル票２の裏面には粘着剤１２を設けるとともに剥離紙１３で被覆し、各配達票兼受領票３の切り用ミシン目４に沿った位置には、穿孔部たる２つのファイルパンチ１４，１４とコーナーカット１５とを穿設する一方、前記各ラベル票２の剥離紙１３を延出して前記各ファイルパンチ１４，１４と前記コーナーカット１５とを裏面側から覆うように構成している。また、前記各配達票兼受領票３の前記各ラベル票２とは反対側を延出して延出部１６を形成し、この延出部１６の裏面に粘着剤１７を設けるとともに剥離紙１８で被覆し、この粘着剤１７設置部分の内側に切り取り部たる切り用ミシン目１９を設けている。
【００１０】
さらに、ラベル票２と延出部１６の切り用ミシン目４とは反対側には、それぞれ切り用ミシン目２０，２０を介して、多数の移送孔２１，２１・・・を等間隔に透設したマージナル部２２，２２を設けている。
【００１１】
以上のように構成したラベル票付連続帳票１において、図示していないコンピュータにあらかじめ入力しておいた届先データ及びこれに対応する問い合わせ番号データを、コンピュータに連繋したプリンタによって出力し、連続状態にあるラベル票付連続帳票１を移送孔２１，２１・・・を利用して移送しながら、届先記入欄６，８及び問い合わせ番号記入欄９に所定事項を印字記入する。この印字作業において、各ファイルパンチ１４，１４と各コーナーカット１５は裏面側から剥離紙１３で覆われているので、光センサーの出射光が前記剥離紙１３で遮断され、誤動作することはない。
【００１２】
次いで、必要に応じて各マージナル部２２，２２を切り用ミシン目２０，２０から切り落とし、単位状態に切断したうえ、剥離紙１３，１８を剥離して粘着剤１２，１７を露出する。そして、単位化したラベル票付帳票１ａは、露出したこれらの粘着剤１２，１７によって、配送品３０の適所に接着され（図３参照）、配送作業が行われる。
【００１３】
配送品３０の届先において、図３に示すように、各切り用ミシン目４，１９を破断して、配達票兼受領票３を配送品３０から分離し、ラベル票２と延出部１６とは配送品３０に貼付したままにする。そして、前記配達票兼受領票３の受領印欄１１に、配送品３０の受領者に捺印してもらい、この受領印捺印済の配達票兼受領票３を配送員が持ち帰るものである。
【００１４】
続いて、他の実施形態を、図４及び図５に基づいて説明する。これらラベル票付連続帳票４１，５１の各実施形態は、ラベル票２と配達票兼受領票３とを分離可能に並設する構成が上述した第１の実施形態のラベル票付連続帳票１と相違するだけであり、他の構成及び使用方法については同様であるから、相違点についてのみ説明し、対応する構成要素には同一の符号を付するに止め、詳細な説明は省略する。
【００１５】
図４に示す実施形態は、ラベル票付連続帳票４１のラベル票２の裏面側の粘着剤１２に配達票兼受領票３の一端縁の表面側を接着し、その内側に切り用ミシン目３１を設けて分離可能に構成したものである。また、図５に示す実施形態は、ラベル票付連続帳票５１のラベル票２の表面側に設けた接着剤３２によって配達票兼受領票３の一端縁の裏面側を接着し、前記接着剤３２設置部分の内側に切り用ミシン目３３を設けて分離可能に構成したものである。前記接着剤３２の接着力が弱い場合には、分離用の前記切り用ミシン目３３は設ける必要がない。
【００１６】
なお、本発明は上述した各実施形態に限定されるものではなく、例えば、穿孔部はファイルパンチ１４とコーナーカット１５のいずれか一方のみを有する構成でもよく、また、ファイルパンチ１４とコーナーカット１５以外のもので穿孔部を構成してもよい。さらに、延出部１６と粘着剤１７及び剥離紙１８を設けずに、配送品３０へのラベル票付帳票１ａの貼付をラベル票２裏面の粘着剤１２のみによって行うこともできる。
【００１７】
【発明の効果】
以上説明したところで明らかなように、本発明によれば、帳票の前記ラベル票との分離端に沿った位置に設けた穿孔部を裏面側から剥離紙で覆うように構成したので、剥離紙の延長部分は少なくてすむので無駄がなく、また、前記穿孔部に起因するセンサーの誤動作をなくすことができるという効果を奏する。また、帳票に延出部を形成し、延出部の裏面に粘着剤を設けた場合には、前記効果に加えて、ラベル票裏面の粘着剤のみならず、この延出部裏面の粘着剤をも使用して配送品に貼付できるので、配送品への貼付がより確実になるという効果を奏する。
【図面の簡単な説明】
【図１】ラベル票付帳票の概略的な斜視図。
【図２】図１のＡ−Ａ線断面図。
【図３】ラベル票付帳票を配送品に貼付した状態を示す概略的な斜視図。
【図４】他の実施形態を示す概略的な断面図。
【図５】さらに他の実施形態を示す概略的な断面図。
【符号の説明】
１，４１，５１      ラベル票付連続帳票
２      ラベル票
３      配達票兼受領票
４，１９，２０，３１，３３      切り用ミシン目
６，８      届先記入欄
７，１０      荷送人表示
９      問い合わせ番号記入欄
１１      受領印捺印欄
１２，１７      粘着剤
１３，１８      剥離紙
１４      ファイルパンチ
１５      コーナーカット
１６      延出部
３０      配送品
【図１】
0003549324.tif 000002
【図２】
0003549324.tif 000003
【図３】
0003549324.tif 000004
【図４】
0003549324.tif 000005
【図５】
0003549324.tif 000006